(57)【要約】【課題】無機発光素子で一般的に使用されていた透明電極の代わりにパターニングされた金属電極を使用することにより、複雑な工程と高コストを要する透明電極を使用することなく無機発光素子を実現できるようにして、製造工程が単純化されるとともにコストが低減された無機発光素子及びその製造方法を提供する。【解決手段】本発明による無機発光素子は、予め設定された間隔を有するように周期的に配置された構造を有するパターニングされた金属電極と、前記パターニングされた金属電極の上部に位置する蛍光層とを含み、前記パターニングされた金属電極が配置された順序に従って第１電圧と第２電圧が交互に印加されることにより、前記蛍光層から発光した光が前記パターニングされた金属電極間に放出されることを特徴とする。【選択図】図２
2011082175.tif 000002
【特許請求の範囲】
【請求項１】
無機発光素子において、
予め設定された間隔を有するように周期的に配置された構造を有するパターニングされた金属電極と、
前記パターニングされた金属電極の上部に位置する蛍光層とを含み、
前記パターニングされた金属電極が配置された順序に従って第１電圧と第２電圧が交互に印加されることにより、前記蛍光層から発光した光が前記パターニングされた金属電極間に放出されることを特徴とする無機発光素子。
【請求項２】
前記パターニングされた金属電極間の間隔によって前記蛍光層から発光する光が制御されることを特徴とする請求項１に記載の無機発光素子。
【請求項３】
前記パターニングされた金属電極間の間隔が０．０１〜３００μｍであることを特徴とする請求項２に記載の無機発光素子。
【請求項４】
前記パターニングされた金属電極間に予め定められた形状の開口部が形成され、前記蛍光層から発光する光が前記開口部の形状に透過することを特徴とする請求項１に記載の無機発光素子。
【請求項５】
基板と、
前記基板の上部に塗布され、予め設定された間隔を有するように周期的に配置された構造を有するパターニングされた金属電極と、
前記基板及び前記パターニングされた金属電極の上部に塗布され、電子の流れを遮断する絶縁層と、
前記絶縁層の上部に塗布され、前記パターニングされた金属電極に印加された電界により発光する蛍光層と、
前記蛍光層の上部に塗布され、無機発光素子を保護する保護膜層と
を含むことを特徴とする無機発光素子。
【請求項６】
前記パターニングされた金属電極が配置された順序に従って第１電圧と第２電圧が交互に印加されることにより、前記蛍光層から発光した光が前記パターニングされた金属電極間に放出されることを特徴とする請求項５に記載の無機発光素子。
【請求項７】
前記蛍光層と前記保護膜層との間に塗布され、前記蛍光層から発光した光を反射させる鏡面をさらに含むことを特徴とする請求項５に記載の無機発光素子。
【請求項８】
前記基板が透明基板であることを特徴とする請求項７に記載の無機発光素子。
【請求項９】
前記基板と前記パターニングされた金属電極との間に塗布され、前記蛍光層から発光した光を反射させる鏡面をさらに含むことを特徴とする請求項５に記載の無機発光素子。
【請求項１０】
前記保護膜層が透明物質からなることを特徴とする請求項９に記載の無機発光素子。
【請求項１１】
前記パターニングされた金属電極間の間隔によって前記蛍光層から発光する光が制御されることを特徴とする請求項５に記載の無機発光素子。
【請求項１２】
前記パターニングされた金属電極間の間隔が０．０１〜３００μｍであることを特徴とする請求項１１に記載の無機発光素子。
【請求項１３】
前記パターニングされた金属電極間に予め定められた形状の開口部が形成され、前記蛍光層から発光する光が前記開口部の形状に透過することを特徴とする請求項５に記載の無機発光素子。
【請求項１４】
基板の上部に予め設定された間隔を有するように周期的に配置された構造を有するパターニングされた金属電極を形成する段階と、
前記基板及び前記パターニングされた金属電極の上部に電子の流れを遮断するための絶縁層を形成する段階と、
前記絶縁層の上部に蛍光層を形成する段階と、
前記蛍光層の上部に無機発光素子を保護するための保護膜層を形成する段階と
を含むことを特徴とする無機発光素子の製造方法。
【請求項１５】
前記パターニングされた金属電極間に予め定められた形状の開口部を形成する段階をさらに含むことを特徴とする請求項１４に記載の無機発光素子の製造方法。
【請求項１６】
前記蛍光層の上部に前記蛍光層から発光した光を反射させるための鏡面を形成する段階をさらに含むことを特徴とする請求項１４に記載の無機発光素子の製造方法。
【請求項１７】
前記基板の上部に前記蛍光層から発光した光を反射させるための鏡面を形成する段階をさらに含むことを特徴とする請求項１４に記載の無機発光素子の製造方法。
【発明の詳細な説明】
【技術分野】
【０００１】
本発明は、無機発光素子及びその製造方法に関し、より詳細には、無機発光素子で一般的に使用されていた透明電極の代わりにパターニングされた金属電極を使用することにより、複雑な工程と高コストを要する透明電極を使用することなく無機発光素子を実現できるようにして、無機発光素子の製造工程を単純化するとともにコストを低減するための技術に関する。
【背景技術】
【０００２】
図１は従来の無機発光素子の断面図であり、従来の無機発光素子１０は、基板１１上に前面透明電極１２を塗布し、その上に電子の流れを遮断するための絶縁層１３、発光のための蛍光層１４、及び電子の流れを遮断するための絶縁層１３を順次塗布し、その上に背面電極１５を塗布し、最後に素子の耐久性を向上させるための保護膜層１６を塗布することにより形成される。ここで、背面電極１５は、主に可視光線領域での反射率に優れた銀からなり、蛍光層１４の発光により背面電極１５に向かう光を全て前面透明電極１２及び透明物質からなる基板１１方向に反射させて発光効率を増加させる。
【０００３】
このように、従来の無機発光素子１０は、発光のために、発光方向に位置する電極を必ず透明電極で形成しなければならない。しかしながら、透明電極は、製造工程が複雑であり、その製造工程にかかるコストも非常に高いという欠点があった。
【先行技術文献】
【特許文献】
【０００４】
【特許文献１】韓国公開特許第2007-0077216号公報
【発明の概要】
【発明が解決しようとする課題】
【０００５】
本発明は、このような従来技術の問題を解決するためになされたものであり、無機発光素子で一般的に使用されていた透明電極の代わりにパターニングされた金属電極を使用することにより、複雑な工程と高コストを要する透明電極を使用することなく無機発光素子を実現できるようにして、製造工程が単純化されるとともにコストが低減された無機発光素子及びその製造方法を提供することを目的とする。
【課題を解決するための手段】
【０００６】
上記目的を達成するための本発明の一態様による無機発光素子は、予め設定された間隔を有するように周期的に配置された構造を有するパターニングされた金属電極と、前記パターニングされた金属電極の上部に位置する蛍光層とを含み、前記パターニングされた金属電極が配置された順序に従って第１電圧と第２電圧が交互に印加されることにより、前記蛍光層から発光した光が前記パターニングされた金属電極間に放出されることを特徴とする。
【０００７】
ここで、前記パターニングされた金属電極間の間隔によって前記蛍光層から発光する光が制御され、前記パターニングされた金属電極間の間隔は０．０１〜３００μｍであることが好ましい。
【０００８】
また、前記パターニングされた金属電極間に予め定められた形状の開口部が形成され、前記蛍光層から発光する光が前記開口部の形状に透過するようにしてもよい。
【０００９】
そして、上記目的を達成するための本発明の一態様による無機発光素子は、基板と、前記基板の上部に塗布され、予め設定された間隔を有するように周期的に配置された構造を有するパターニングされた金属電極と、前記基板及び前記パターニングされた金属電極の上部に塗布され、電子の流れを遮断する絶縁層と、前記絶縁層の上部に塗布され、前記パターニングされた金属電極に印加された電界により発光する蛍光層と、前記蛍光層の上部に塗布され、無機発光素子を保護する保護膜層とを含む。
【００１０】
ここで、前記無機発光素子は、前記パターニングされた金属電極が配置された順序に従って第１電圧と第２電圧が交互に印加されることにより、前記蛍光層から発光した光が前記パターニングされた金属電極間に放出されることを特徴とする。
【００１１】
また、前記無機発光素子は、前記蛍光層と前記保護膜層との間に塗布され、前記蛍光層から発光した光を反射させる鏡面をさらに含んでもよい。この場合、前記基板は透明基板である。
【００１２】
また、前記無機発光素子は、前記基板と前記パターニングされた金属電極との間に塗布され、前記蛍光層から発光した光を反射させる鏡面をさらに含んでもよい。この場合、前記保護膜層は透明物質からなる。
【００１３】
一方、上記目的を達成するための本発明の他の態様による無機発光素子の製造方法は、基板の上部に予め設定された間隔を有するように周期的に配置された構造を有するパターニングされた金属電極を形成する段階と、前記基板及び前記パターニングされた金属電極の上部に電子の流れを遮断するための絶縁層を形成する段階と、前記絶縁層の上部に蛍光層を形成する段階と、前記蛍光層の上部に無機発光素子を保護するための保護膜層を形成する段階とを含む。
【００１４】
また、前記無機発光素子の製造方法は、前記パターニングされた金属電極間に予め定められた形状の開口部を形成する段階、前記蛍光層の上部に前記蛍光層から発光した光を反射させるための鏡面を形成する段階、及び前記基板の上部に前記蛍光層から発光した光を反射させるための鏡面を形成する段階のいずれか１つをさらに含んでもよい。
【発明の効果】
【００１５】
本発明によれば、従来の無機発光素子で一般的に使用されていた透明電極の代わりにパターニングされた金属電極を使用することにより、複雑な工程と高コストを要する透明電極を使用することなく無機発光素子を実現できるようにして、無機発光素子の製造工程を単純化するとともにコストを低減することができる。
【００１６】
また、従来の透明電極と背面電極とを含む無機発光素子に比べて簡単な電極構造を有し、従って、無機発光素子の動作信頼性を確保することができる。
【００１７】
さらに、パターニングされた金属電極間の間隔を調整し、蛍光層から発光した光がパターニングされた金属電極間を通過するようにすることにより、光効率（ｏｕｔ−ｃｏｕｐｌｉｎｇ）を最大化することができる。
【図面の簡単な説明】
【００１８】
【図１】従来の無機発光素子の断面図である。
【図２】本発明による無機発光素子の断面図である。
【図３】本発明の一実施形態による両面発光型無機発光素子の断面図である。
【図４】本発明の他の実施形態による単面発光型無機発光素子の断面図である。
【発明を実施するための形態】
【００１９】
以下、添付図面を参照して、本発明の属する技術の分野における通常の知識を有する者が本発明を容易に実施できるように、本発明の好ましい実施形態を詳細に説明する。ただし、本発明の好ましい実施形態を詳細に説明するにあたって、関連の公知機能又は構成に関する具体的な説明が本発明の要旨を不明にする場合は、その詳細な説明を省略する。なお、類似の機能及び作用を果たす部分には図面全体にわたって同一の符号を付す。
【００２０】
また、明細書全体にわたって、ある部分が他の部分と「連結」されているとは、「直接的に連結」されている場合だけでなく、他の素子を介して「間接的に連結」されている場合も含む。そして、ある構成要素を「含む」とは、特に断らない限り、他の構成要素を除くのではなく、他の構成要素をさらに含むことがあることを意味する。
【００２１】
図２は本発明による無機発光素子の断面図であり、本発明による無機発光素子２０は、基板２１、パターニングされた金属電極２２、絶縁層２３、蛍光層２４、鏡面２７、及び保護膜層２６が順次積層された構造を有する。
【００２２】
以下、本発明による無機発光素子の構造及びその製造過程をより具体的に説明する。まず、基板２１上にパターニングされた金属電極２２を形成する。パターニングされた金属電極２２は、透明電極ではなく、一般的に広く使用されている金属電極からなり、所定の間隔で周期的に配置された構造に形成される。ここで、パターニングされた金属電極２２間の間隔によって発光する光が制御されるが、その間隔を０．０１〜１００μｍとして光効率を最大化することが好ましい。また、パターニングされた金属電極２２間に線形、円形、四角形などの開口部を形成することにより、蛍光層２４から発光する光が線形、円形、四角形などの形状に透過するようにしてもよい。
【００２３】
次に、基板２１及びパターニングされた金属電極２２上に、電子の流れを遮断するための絶縁層２３を塗布し、その上に、発光のための蛍光層２４、光の反射のための鏡面２７、及び素子の保護のための保護膜層２６を順次塗布する。
【００２４】
ここで、鏡面２７は、蛍光層２４の発光により上部に向かう光を反射させて背面に向けるためのものであるため、電気的抵抗に関係なく、反射率の高い素材で形成すればよい。
【００２５】
また、保護膜層２６は、湿気又は外部の影響を遮断して素子を保護するためのものである。基板２１、絶縁層２３、蛍光層２４、及び保護膜層２６は、従来の無機発光素子と同じ素材で形成してもよく、これについての詳細な説明は省略する。
【００２６】
図３は本発明の一実施形態による両面発光型無機発光素子の断面図であり、本発明の一実施形態による両面発光型無機発光素子３０は、基板３１、パターニングされた金属電極３２−１、３２−２、絶縁層３３、蛍光層３４、及び保護膜層３６が順次積層された構造を有する。すなわち、図２に示す無機発光素子２０から鏡面２７を除いた構造を有する。
【００２７】
図３に示すように、パターニングされた金属電極が配置された順序に従って陽極３２−１と陰極３２−２に第１電圧と第２電圧を交互に印加すると、発光により、パターニングされた金属電極間から両面に光が放出されることにより、両面発光型無機発光素子を実現することができる。このために、保護膜層３６も透明物質で形成しなければならない。
【００２８】
図４は本発明の他の実施形態による単面発光型無機発光素子の断面図であり、本発明の他の実施形態による単面発光型無機発光素子４０は、基板４１、パターニングされた金属電極４２−１、４２−２、絶縁層４３、蛍光層４４、鏡面４７、及び保護膜層４６が順次積層された構造を有する。すなわち、図２に示す無機発光素子２０と同じ構造を有する。
【００２９】
図４に示すように、パターニングされた金属電極が配置された順序に従って陽極４２−１と陰極４２−２に第１電圧と第２電圧を交互に印加すると、発光により、パターニングされた金属電極間から両面に光が放出される。このとき、保護膜層４６方向に向かう光は鏡面４７により反射されて、透明物質からなる基板４１方向のみに光が放出されることにより、高効率の単面発光型無機発光素子を実現することができる。
【００３０】
本実施形態では、鏡面４７が蛍光層４４の上部に塗布された構造を説明したが、鏡面４７をパターニングされた金属電極４２−１、４２−２の下部に配置して発光方向を逆にしてもよい。この場合、保護膜層４６は透明物質で形成しなければならない。
【００３１】
本発明は、前述した実施形態及び添付された図面により限定されるものではない。本発明の技術的思想から外れない範囲内で本発明による構成要素の置換、変形、及び変更が可能であることは、本発明の属する技術の分野における通常の知識を有する者にとって自明である。
【符号の説明】
【００３２】
１０  無機発光素子
１１  基板
１２  前面透明電極
１３  絶縁層
１４  蛍光層
１５  背面電極
１６  保護膜層
２０  無機発光素子
２１  基板
２２  パターニングされた金属電極
２３  絶縁層
２４  蛍光層
２６  保護膜層
２７  鏡面
３０  無機発光素子
３１  基板
３２−１  パターニングされた金属電極（陽極）
３２−２  パターニングされた金属電極（陰極）
３３  絶縁層
３４  蛍光層
３６  保護膜層
４０  無機発光素子
４１  基板
４２−１  パターニングされた金属電極（陽極）
４２−２  パターニングされた金属電極（陰極）
４３  絶縁層
４４  蛍光層
４６  保護膜層
４７  鏡面
【図１】
2011082175.tif 000003
【図２】
2011082175.tif 000004
【図３】
2011082175.tif 000005
【図４】
2011082175.tif 000006